(57)【特許請求の範囲】
【請求項１】
（ａ）走行機構（５１）および車両客室（５０）を有する少なくとも一つのケーブルカー車両（５）と、
（ｂ）終端駅（１）から中継駅（２）の一端へ延びている少なくとも一つの走行経路と、
（ｃ）前記中継駅（２）に配置されかつ該中継駅（２）の他端から、他の中継駅または第２終端駅まで延びている少なくとも一つの隣接走行経路（６，６ａ）と、
（ｄ）前記中継駅（２）に配置されていて、前記ケーブルカー車両（５）を前記少なくとも一つの隣接走行経路（６，６ａ）に沿って移動させる駆動モータを備える構造とされた、少なくとも一つの支承車両（７）と、
を有する、人員または物品を搬送するためのシステムであって、
（イ）前記少なくとも一つの走行経路が、前記走行機構（５１）が連結された牽引ケーブル（３１）によって前記少なくとも一つのケーブルカー車両（５）を移動しうる少なくとも一つの支承ケーブル（３，３ａ）で構成され、
（ロ）前記少なくとも一つの隣接走行経路（６，６ａ）が、カーブを含む構造とされているとともに、前記中継駅（２）において前記少なくとも一つの支承ケーブル（３，３ａ）に連係された少なくとも一つの走行レール（６１，６１ａ）で構成され、
（ハ）前記駆動モータを有する少なくとも一つの支承車両（７）が、前記カーブを含む前記隣接走行経路（６，６ａ）を通って移動し、かつ、
（ニ）前記ケーブルカー車両（５）の前記走行機構（５１）が前記少なくとも一つの支承車両（７）の方へ進められて該少なくとも一つの支承車両（７）に固定されることにより、前記ケーブルカー車両（５）が、前記少なくとも一つの支承車両（７）により前記カーブを含む前記少なくとも一つの隣接走行経路（６，６ａ）を通って移動される
ことを特徴とするシステム。
【請求項２】
前記少なくとも一つの隣接走行経路（６，６ａ）が、前記中継駅（２）から前記他の中継駅または前記第２終端駅まで延びていることを特徴とする、請求項１に記載のシステム。
【請求項３】
前記支承車両（７）が、少なくとも２対の回転ローラ（７２）と、誘導ローラ対（７３，７４）とを備える構造とされていることを特徴とする、請求項１または請求項２に記載のシステム。
【請求項４】
前記支承車両（７）が、前記ケーブルカー車両（５）の前記走行機構（５１）のための支承フレーム（７５）を備える構造とされていて、前記支承フレーム（７５）に前記ケーブルカー車両（５）の前記走行機構（５１）が係止されることを特徴とする、請求項１ないし３のいずれか１項に記載のシステム。
【請求項５】
前記支承車両（７）と前記ケーブルカー車両（５）とが、前記ケーブルカー車両（５）の前記走行機構（５１）を前記支承車両（７）に固定するための少なくとも一つの係止装置（８）を備える構造とされていることを特徴とする、請求項４に記載のシステム。
【請求項６】
前記係止装置（８）が二つのクランプジョー（８１，８２）を有することを特徴とする、請求項５に記載のシステム。
【請求項７】
前記係止装置（８）が固定および可動のクランプジョー（８１，８２）を有し、前記可動クランプジョー（８２）が、圧縮バネ（８６）の作用による復元力に反して、クランプレバー（８４）により閉位置から開位置へ移動されうることを特徴とする、請求項５または請求項６に記載のシステム。
【請求項８】
前記クランプレバー（８４）が、前記中継駅（２）で制御レール（８０）が連動する制御ローラ（８５）を備える構造とされていることを特徴とする、請求項７に記載のシステム。
【請求項９】
前記ケーブルカー車両（５）の前記走行機構（５１）が、前記支承車両（７）に配置された前記クランプジョー（８１，８２）と協働する少なくとも一つの係止ピン（８３）を備える構造とされていることを特徴とする、請求項６ないし８のいずれか１項に記載のシステム。
【請求項１０】
前記支承車両（７）が内燃エンジンを備える構造とされていることを特徴とする、請求項１ないし９のいずれか１項に記載のシステム。
【請求項１１】
前記支承車両（７）が電動モータを備える構造とされていることを特徴とする、請求項１ないし９のいずれか１項に記載のシステム。
【請求項１２】
前記支承車両（７）が、前記隣接走行経路（６，６ａ）上に配設されている導体レールによって電力が供給される電動モータを備える構造とされていることを特徴とする、請求項１１に記載のシステム。
【請求項１３】
前記支承車両（７）が誘導方式で駆動されうることを特徴とする、請求項１ないし９のいずれか１項に記載のシステム。
【発明の詳細な説明】
【技術分野】
【０００１】
本特定発明は、走行機構および車両客室を備える構造であるケーブルカー車両が連結されうる少なくとも一つの搬送ケーブルを有するか、走行機構および車両客室を備える構造である少なくとも一つのケーブルカー車両が、走行機構が連結されている牽引ケーブルによって移動されうる少なくとも一つの支承ケーブルまたは少なくとも一つの走行経路を有する、人員または物品を搬送するためのシステムに関する。
【背景技術】
【０００２】
ケーブルカーシステムは、人員を搬送するためのものとして知られている。これらは、ケーブルカー車両、例えばケーブルカー客室が少なくとも一つの支承ケーブルを通って移動されて支承ケーブルが牽引ケーブルにより移動されるか、ケーブルカー車両が搬送ケーブルに固定されているか搬送ケーブルに連結されうるシステムである。
【０００３】
これらは、牽引ケーブルにより、固定走行経路を通って、例えば走行レールを通って移動されるケーブルカー車両を有するシステムでもある。
【０００４】
このようなケーブルカーシステムすべてにおいて、カーブ周辺での牽引ケーブルの誘導は重大な技術的問題を伴うので、走行経路が少なくとも実質的には直線状でなければならないという問題が生じる。
【０００５】
そのため、支承ケーブルまたは搬送ケーブルが支柱により誘導されることで、困難な地理条件であっても簡単な方法で人員の搬送が可能となるので、ケーブルカー車両が支承ケーブルを通って、または搬送ケーブルにより移動されるケーブルカーシステムが有利である。
【０００６】
そのため、走行経路を通って、特に走行レールを通って移動されるための駆動モータを備えるケーブルカー車両を使用して人員を搬送するためのシステムは、ケーブルカー車両の移動中に技術的問題を生じることなく走行経路がカーブを含む構造でありうるので、有利である。
【発明の概要】
【発明が解決しようとする課題】
【０００７】
本特定発明の目的は、一方では人員を搬送するための周知のシステムの利点が確保されて他方ではその短所が回避されるための、人員を搬送するためのシステムを提供することである。
【課題を解決するための手段】
【０００８】
これは、少なくとも一つの搬送ケーブルまたは少なくとも一つの支承ケーブルまたは走行経路が、少なくとも一つの追加走行経路、特に少なくとも一つの走行レールに連係され、これを通って、ケーブルカー車両のための駆動モータを備える構造である少なくとも一つの支承車両が移動され、ケーブルカー車両の走行機構が支承車両の方へ進められてこれに固定されうることにより、ケーブルカー車両が支承車両により少なくとも一つの隣接走行経路を通って移動されるという点で、本発明により達成される。
【０００９】
好ましくは、支承車両のための少なくとも一つの隣接走行経路が、少なくとも一つの走行レールまたは少なくとも一つの走行ビームにより形成される。
【００１０】
さらに、支承車両は、少なくとも２対の回転ローラと、該当する場合には数対の誘導ローラを備える構造でありうる。
【００１１】
好ましくは、支承車両は、ケーブルカー車両の走行機構のための支承フレームを備える構造であり、この支承フレームにケーブルカー車両の走行機構が係止されうる。このため、支承車両とケーブルカー車両とは、ケーブルカー車両の走行機構を支承車両に固定するための少なくとも一つの係止装置を備える構造である。
【００１２】
好ましくは、係止装置は二つのクランプジョーを有する。この例では、固定および可動のクランプジョーが設けられ、可動クランプジョーは、復元力、好ましくは圧縮バネの作用に反してクランプレバーにより閉位置から開位置へ移動されうる。この例で、クランプレバーは、中継駅で制御レールと連動する制御ローラを備える構造である。さらに、ケーブルカー車両の走行機構は、支承車両に配置されたクランプジョーと協働する少なくとも一つの係止ピンを備える構造でありうる。
【００１３】
支承車両は、内燃エンジンまたは電動モータを備える構造であり、走行経路上に配設される導体レールによって電動モータには電力が供給される。加えて、支承車両は誘導方式で駆動されうる。
【００１４】
人員を搬送するための本発明によるシステムは、図面に図示された実施形態を参照して以下でより詳しく説明される。
【図面の簡単な説明】
【００１５】
【図１】ケーブルカー車両で人員を搬送するための本発明によるシステムの一部分の側面図である。
【図１Ａ】ケーブルカー車両で人員を搬送するための本発明によるシステムの一部分の平面図である。
【図２】図１または図１Ａに対して倍尺で描かれた状態の、このようなシステムに配置されている中継駅の側面図である。
【図２Ａ】図１または図１Ａに対して倍尺で描かれた状態の、このようなシステムに配置されている中継駅の平面図である。
【図３】図２と比較すると倍尺で描かれた図２による中継駅を示す。
【図３Ａ】ケーブルカー車両と支承車両とが配置されている図３による中継駅を示す。
【図３Ｂ】ケーブルカー車両の走行機構が支承車両に配置されている図３Ａによる中継駅を示す。
【図３Ｃ】ケーブルカー車両を伴った支承車両が中継駅から移動した図３Ｂによる中継駅を示す。
【図４】ケーブルカー車両が支承車両によりそれぞれの場合に移動されうる二つの走行経路の正面図である。
【図４Ａ】ケーブルカー車両が支承車両により移動されうる走行経路の一つの側面図である。
【図５】図４および図４Ａと比較して倍尺で描かれた、支承車両に配置されているケーブルカー車両の走行機構の正面図である。
【図５Ａ】図５の詳細を示し、図５と比較して倍尺で描かれている。
【発明を実施するための形態】
【００１６】
図１および図１Ａから分かるように、人員を搬送するためのこのようなシステムの図示部分は、終端駅１と中継駅２とを有する。終端駅１と中継駅２との間には、少なくとも一つの支柱４により支承されている２対の支承ケーブル３，３ａが設けられている。牽引ケーブル３１に連結されてケーブルカー客室を備える構造であるケーブルカー車両５は、支承ケーブル３，３ａを通って移動されうる。
【００１７】
中継駅２で、支承ケーブル３，３ａは、支柱４ａに配置されて、ケーブルカー車両５のための駆動モータを備える構造である支承車両７が移動されうる走行経路６，６ａにより連係されている。支承車両７は牽引ケーブルにより移動されず、代わりに、支承車両に配置された駆動モータによって移動されるので、走行経路６，６ａは直線方式で延在する必要がない。代わりに、走行経路６，６ａはカーブを含む構造であってもよい。
【００１８】
走行経路６，６ａは、支承ケーブル対３，３ａが再び連係している追加の中継駅まで、または第２終端駅まで延在しうる。この例で、支承ケーブル対３，３ａと走行経路６，６ａのこのような部分はいくつ設けられてもよい。支承ケーブル３，３ａは、走行経路が直線方式で延在している部分に設けられる。しかし、特にルート誘導での地形条件の結果として、屈曲が必要とされるとすぐに、カーブ状走行経路６，６ａを有する部分が設けられる。
【００１９】
人員を搬送するためのこのようなシステムの動作は以下の通りである。終端駅１において、ここに配置されたケーブルカー車両５の客室に乗客が乗り降りする。続いて、ケーブルカー車両５が牽引ケーブル３１により支承ケーブル３を通って中継駅２まで移動される。中継駅２では、ケーブルカー車両５がこの場所で支承車両７に移される。続いて、固定されたケーブルカー車両５を伴ったこの支承車両７が、走行経路６を通って別の中継駅または第２終端駅へ移動される。第２終端駅からは、ケーブルカー車両５は走行経路６ａおよび支承ケーブル３ａを通って第１終端駅１へ逆向きに移動される。
【００２０】
図２および２Ａに見られるように、それぞれの支承ケーブル対３，３ａと連動する誘導レール２１と、これと連動する搬送タイヤ２２とが、中継駅２に配置されている。ケーブルカー車両５は、ケーブルカー客室５０と走行機構５１とを備える構造である。搬送タイヤ２２により、ケーブルカー車両５の走行機構５１は、牽引ケーブル３１から連結解除された後に、誘導レール２１を通ってさらに移動される。牽引ケーブル３１は、支承ケーブル対３，３ａの第２支承ケーブル３ａと平行に第１終端駅１まで牽引ケーブルを逆向きに誘導するための三つの方向転換ディスク３２を経由して敷設されている。支承ケーブル対３，３ａは、走行レール対６１，６１ａにより各々が形成される走行経路６，６ａにより連係されており、この走行経路を通って、支承車両７とこれに支承されているケーブルカー車両５とが移動されうる。
【００２１】
図３は、支承車両７が配置されている中継駅２を示す。
【００２２】
図３Ａは、客室５０を有するケーブルカー車両５が牽引ケーブル３１から連結解除された後で配置された中継駅２を示し、ケーブルカー車両の走行機構５１は、搬送タイヤ２２により誘導レール２１の一つを通って支承車両７へ移動される。
【００２３】
図３Ｂは、ケーブルカー車両５の走行機構５１が支承車両７に接近した後にケーブルカー車両５がこの位置に配置されて支承車両に係止される中継駅２を示す。
【００２４】
続いて、支承車両７の駆動装置がオンに切り換えられることで、図３Ｃに示されているように、支承車両はケーブルカー車両５とともに走行レール６１を通って移動される。
【００２５】
図４および図４Ａでは、走行経路６，６ａを備える構造であるこのケーブルカーシステムの一部分が正面図として図示されている。
【００２６】
走行経路６ａ，６ａは、支柱４ａの支承ビーム４１に配置されている。
【００２７】
走行経路６，６ａの各々は、一対の走行レール６１，６１ａを有し、これを通って支承車両７が移動されうる。ケーブルカー車両５の走行機構５１は、支承車両７に配置されている。走行機構５１に連接されて、客室５０が固定された支承バー５２が設けられている。走行機構５１は、ロッカ５４に支持されている４対の回転輪５３を備える構造である。
【００２８】
図５および図５ａを参照して、ケーブルカー車両５の走行機構５１と、支承車両７と、支承車両７への走行機構５１の係止とが、以下で説明される。
【００２９】
走行機構５１に連接されて支承バー５２が設けられ、その下方端部には、―同図には図示されていない―客室５０が固定されている。走行機構５１は４対の回転輪５３を備える構造であり、これによりケーブルカー車両５は支承ケーブル３，３ａを通って移動されうる。走行機構５１はさらに、２対の支承ケーブル３，３ａと連動する牽引ケーブル３１に走行機構５１がクランプされるためのクランプジョー５５を備える構造である。二つのクランプジョー５５は、圧縮バネ５７の作用を受けている制御ローラ５６によって閉位置へ移動され、こうして走行機構５１は牽引ケーブル３１に連結されうる。
【００３０】
走行レール６１，６１ａは、互いに離間している支承薄板６２によって、走行経路６，６ａに沿って延在する支承パイプ６３に固定されている。支承パイプ６３は支承ビーム４１に固定されている。各支承車両７は、複数対の回転ローラ７２と、少なくとも実質的には水平方向の配向を持つ軸線を中心に回転されうる誘導ローラ７３と、少なくとも垂直方向の配向を持つ軸線を中心に回転されうる誘導ローラ７４とが支持されている走行フレーム７１を備える構造である。
【００３１】
回転ローラ７２は、走行レール６１，６１ａの上側を走行する。誘導ローラ７３，７４が走行レール６１，６１ａの水平および垂直当接面を走行することにより、支承車両７は走行経路６，６ａ上を誘導される。各支承車両７は支承フレーム７５を備える構造であり、ケーブルカー車両５の走行機構５１が支持のためこの支承フレームの上で動かされる。走行機構５１は、二つの係止装置８により支承車両７に固定されている。
【００３２】
特に図５Ａから分かるように、係止装置８は、支承フレーム７５に配置されている固定クランプジョー８１および可動クランプジョー８２と、支承薄板８７により走行フレーム５１に固定されている係止ピン８３とを含有する。可動クランプジョー８２は、圧縮バネ８６の作用に反して制御レール８０を通って開位置へ誘導されてここに保持される制御ローラ８５により移動されうるクランプレバー８４に配置されている。
【００３３】
開位置に配置されている二つのクランプジョー８１，８２の間に係止ピン８３が配置されるような位置へ支承車両７の走行機構５１が移動した直後、可動クランプジョー８１は、制御ローラ８５が制御レール８０を離れるとすぐに、圧縮バネ８６により閉位置へ移動され、こうして走行機構５１が支承車両７に係止される。
【００３４】
ケーブルカー車両５が中継駅２へ移動されると、ケーブルカー車両５が牽引ケーブル３１から連結解除され、その走行機構５１は、搬送タイヤ２２により誘導レール２１に沿って、中継駅２に配置された支承車両７へ移動され、これに設置される。続いて、ケーブルカー車両５が二つの係止装置８により支承車両７に固定される。続いて、支承車両７によりケーブルカー車両５が一対の走行レール６１を通って第２終端駅または別の中継駅へ移動される。他の中継駅で、ケーブルカー車両５は支承車両７から係止解除され、搬送タイヤ２２により誘導レール２１に沿って、この場所で別の牽引ケーブル３１に連結された別の支承ケーブル対３へさらに移動され、支承ケーブル３を通って別の駅へ移動される。
【００３５】
走行レール６１ａおよび支承ケーブル３ａを通って、支承車両７とケーブルカー車両５とが中継駅２および終端駅１へ逆向きに移動される。
【００３６】
支承車両７の駆動は、内燃エンジンにより、または電動モータにより実行される。このため、電動モータに電力が供給されるための導体レールが走行経路６，６ａ上に設けられている。加えて、支承車両７の誘導駆動装置が設けられうる。
【００３７】
そのため、支承ケーブル３，３ａと走行経路６，６ａとにより形成されるこのような人員搬送システム複合体により、走行経路６，６ａは直線方式で延在する必要がなくカーブ状領域を含む構造でもよいので、走行経路は特定の地理条件に適応化されうる。
【符号の説明】
【００３８】
１  終端駅
２  中継駅
３，３ａ  支承ケーブル
４，４ａ  支柱
５  ケーブルカー車両
６，６ａ  走行経路
７  支承車両
８  係止装置
２１  誘導レール
２２  搬送タイヤ
３１  牽引ケーブル
３２  方向転換ディスク
４１  支承ビーム
５０  ケーブルカー客室
５１  走行機構
５２  支承バー
５３  回転輪
５４  ロッカ
５５  クランプジョー
５６  制御ローラ
５７  圧縮バネ
６１，６１ａ  走行レール
６２  支承薄板
６３  支承パイプ
７１  走行フレーム
７２  回転ローラ
７３，７４  誘導ローラ
７５  支承フレーム
８０  制御レール
８１  固定クランプジョー
８２  可動クランプジョー
８３  係止ピン
８４  クランプレバー
８５  制御ローラ
８６  圧縮バネ
８７  支承薄板
【図１】
0006500021.tif 000002
【図１Ａ】
0006500021.tif 000003
【図２】
0006500021.tif 000004
【図２Ａ】
0006500021.tif 000005
【図３】
0006500021.tif 000006
【図３Ａ】
0006500021.tif 000007
【図３Ｂ】
0006500021.tif 000008
【図３Ｃ】
0006500021.tif 000009
【図４】
0006500021.tif 000010
【図４Ａ】
0006500021.tif 000011
【図５】
0006500021.tif 000012
【図５Ａ】
0006500021.tif 000013